(57)【特許請求の範囲】
【請求項１】
発光部を有し、先端部が操作面に押圧される操作によって前記発光部が発光する電子ペンであって、
前記先端部を有し、前記発光部が発光する光を透過する筆記部と、
前記筆記部を支持し、前記筆記部への押圧を検出して前記発光部を発光させる本体部と、
を備え、
前記筆記部は、
前記先端部を有する弾性部材と、
前記弾性部材を保持し、前記本体部に着脱可能に支持される支持部材と、
前記弾性部材の外面上に形成された滑性材と、
を備え、
前記支持部材の内面にはネジ溝が設けられ、
前記筆記部は、前記支持部材の前記ネジ溝を介して前記本体部に支持され、
前記滑性材は、滑り性が前記弾性部材より高い材料で、前記弾性部材の変形および復元に追従して前記弾性部材との密着が維持されるように形成されていることを特徴とする電子ペン。
【請求項２】
請求項１に記載の電子ペンであって、
前記弾性部材は、前記発光部が発光する前記筆記部への押圧力より小さな押圧力で変形する弾性を有していることを特徴とする電子ペン。
【請求項３】
請求項１または請求項２に記載の電子ペンであって、
前記筆記部は、前記先端部の反対側が開口する中空部を有し、
前記発光部は、前記中空部に配置されることを特徴とする電子ペン。
【請求項４】
請求項１〜請求項３のいずれか一項に記載の電子ペンであって、
前記弾性部材は、エラストマーであることを特徴とする電子ペン。
【請求項５】
請求項４に記載の電子ペンであって、
前記滑性材は、セラミックであることを特徴とする電子ペン。
【請求項６】
請求項４に記載の電子ペンであって、
前記滑性材は、フッ素を含有する材料であることを特徴とする電子ペン。
【請求項７】
請求項１〜請求項６のいずれか一項に記載の電子ペンであって、
前記弾性部材における前記先端部は、前記筆記部の中心軸を通る平面上における断面の外形形状が、前記中心軸上を頂点とし、前記頂点から遠ざかるほど前記中心軸からの距離が大きくなるような曲線となる曲面状に形成され、
前記滑性材は、少なくとも前記先端部に設けられていることを特徴とする電子ペン。
【発明の詳細な説明】
【技術分野】
【０００１】
本発明は、電子ペンに関する。
【背景技術】
【０００２】
従来、ホワイトボード等の投写面に画像を投写するプロジェクター、およびこの投写面上で操作される電子ペン（例えば、特許文献１参照）を備えたシステムが知られている。このような電子ペンを用いたシステムは、ユーザーが電子ペンで筆記に模した操作をすることによって電子ペンが赤外線等の光を発する。そして、プロジェクターは、電子ペンが発する光を検知して、元の画像情報に電子ペンの軌跡に関する情報を重ねて投写することが可能に構成されている。
【０００３】
特許文献１に記載の電子ペンは、筆記具に模した形状を有し、シャフトと、赤外線を発する発光ダイオードと、キャップと、傾倒検出機構と、支持部材と、メイン基板とを備える。
シャフトは、先端に発光ダイオードが取り付けられ、傾倒可能に支持部材に支持される。キャップは、電子ペンの先端に位置する部材であり、ユーザーが投写面上で筆記に模した操作をする際に、投写面等に当接する。キャップは、発光ダイオードから射出される赤外線を透過する材料から形成され、発光ダイオードを覆うように、シャフトに取り付けられる。傾倒検出機構は、シャフトの傾倒を検出する機能を有する。メイン基板は、回路素子が実装された回路基板で構成され、傾倒検出機構の検出結果に応じて発光ダイオードを発光させる。
そして、特許文献１に記載の電子ペンは、ユーザーに把持されて、キャップが投写面に押し当てられることにより、キャップおよびシャフトが傾倒し、傾倒検出機構がその傾倒に応じて動作し、メイン基板により発光ダイオードを発光させる。
【先行技術文献】
【特許文献】
【０００４】
【特許文献１】特開２０１１−５９７６８号公報
【発明の概要】
【発明が解決しようとする課題】
【０００５】
しかしながら特許文献１に記載の電子ペンは、電子ペンを操作するユーザーによっては、キャップを投写面に当接させる際に、キャップが投写面に衝突するような操作になることがあるため、ユーザーに不快感となる衝突音を発生させてしまうという課題がある。また、キャップと投写面とが当接した状態での書き込み操作の感触は、ホワイトボード等へのマーカーペン等の書き込み操作の感触と大きく異なるため、ユーザーに違和感を与えるという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子ペンは、発光部を有し、先端部が操作面に押圧される操作によって前記発光部が発光する電子ペンであって、前記先端部を有し、前記発光部が発光する光を透過する筆記部と、前記筆記部を支持し、前記筆記部への押圧を検出して前記発光部を発光させる本体部と、を備え、前記筆記部は、前記先端部を有する弾性部材と、前記弾性部材の外面上に形成された滑性材と、を備え、前記滑性材は、滑り性が前記弾性部材より高い材料で、前記弾性部材の変形および復元に追従して前記弾性部材との密着が維持されるように形成されていることを特徴とする。
【０００８】
この構成によれば、電子ペンは、筆記部の先端部が弾性部材で構成されているので、筆記部が操作面に押し当てられる際に、弾性部材が変形することとなる。これによって、筆記部が操作面に当接する際の衝突音を低減することや、筆記部が操作面に当接した状態での書き込み操作の感触を向上させることが可能となる。
また、弾性部材の外面には、滑り性が弾性部材より高く、弾性部材の変形、復元に追従する滑性材が設けられているので、弾性部材が有する弾性を発揮させつつ、電子ペンを操作面上で滑らかに移動させることができる。
したがって、電子ペンのユーザーに不快感となる操作面との衝突音を低減し、操作感が良好な電子ペンの提供が可能となる。
【０００９】
［適用例２］上記適用例に係る電子ペンにおいて、前記弾性部材は、前記発光部が発光する前記筆記部への押圧力より小さな押圧力で変形する弾性を有していることが好ましい。
【００１０】
この構成によれば、ユーザーが電子ペンを操作する際、筆記部を操作面に押し当てると、発光部が発光する前に弾性部材が変形することとなる。これによって、筆記部が操作面に押し当てられる際の、電子ペンのユーザーに不快感となる衝突音を確実に低減することが可能となる。
【００１１】
［適用例３］上記適用例に係る電子ペンにおいて、前記筆記部は、前記弾性部材を保持し、前記本体部に支持される支持部材を有することが好ましい。
【００１２】
この構成によれば、筆記部は、上述した支持部材を備えるので、弾性部材が確実に保持された状態で本体部に支持される。
【００１３】
［適用例４］上記適用例に係る電子ペンにおいて、前記筆記部は、前記先端部の反対側が開口する中空部を有し、前記発光部は、前記中空部に配置されることが好ましい。
【００１４】
この構成によれば、発光部は、筆記部の中空部に配置されるので、発光部から発せられる光の損失を抑制して効率良く筆記部から外部に透過させることができる。よって、小型の発光部の採用や、発光部を発光させる電力の省電力化が可能となる。
【００１５】
［適用例５］上記適用例に係る電子ペンにおいて、前記弾性部材は、エラストマーであることが好ましい。
【００１６】
ここで、エラストマーとは、弾性を有する高分子材料、例えば、ゴム材や熱可塑性の弾性部材等の材料をいう。
この構成によれば、弾性部材がエラストマーで形成されているので、滑性材をこの弾性部材の外面に形成可能とし、発光部が発する光の透過、および所望の弾性を有するように、弾性部材を形成することが可能となる。
【００１７】
［適用例６］上記適用例に係る電子ペンにおいて、前記滑性材は、セラミックであることが好ましい。
【００１８】
この構成によれば、滑性材がセラミックで形成されているので、発光部が発する光を透過し、操作面に対する滑り性が弾性部材より高い滑性材を形成することが可能となる。
【００１９】
［適用例７］上記適用例に係る電子ペンにおいて、前記滑性材は、フッ素を含有する材料であることが好ましい。
【００２０】
この構成によれば、塗装等の製造方法により、弾性部材の外面に容易に滑性材を形成することが可能となる。
【００２１】
［適用例８］上記適用例に係る電子ペンにおいて、前記弾性部材における前記先端部は、前記筆記部の中心軸を通る平面上における断面の外形形状が、前記中心軸上を頂点とし、前記頂点から遠ざかるほど前記中心軸からの距離が大きくなるような曲線となる曲面状に形成され、前記滑性材は、少なくとも前記先端部に設けられていることが好ましい。
【００２２】
この構成によれば、弾性部材の外面全体に滑性材を設ける構成に比べ、容易に滑性材を形成できるとともに、電子ペンを傾けても、滑性材を操作面に当接させることができる。よって、滑性材を有する筆記部製造の簡素化を図りつつ、操作感を高めた電子ペンの提供が可能となる。
【図面の簡単な説明】
【００２３】
【図１】第１実施形態に係る電子ペンを用いた表示システムの概略構成を示す模式図。
【図２】第１実施形態の電子ペンの外観を示す斜視図。
【図３】第１実施形態の電子ペンの断面図。
【図４】第１実施形態の筆記部の断面図。
【図５】第２実施形態の電子ペンにおける筆記部および導光部材を説明するための断面図。
【図６】変形例における筆記部の断面図。
【発明を実施するための形態】
【００２４】
（第１実施形態）
以下、本実施形態に係る電子ペンについて、図面を参照して説明する。
図１は、本実施形態に係る電子ペン１を用いた表示システム１０の概略構成を示す模式図である。
表示システム１０は、電子ペン１に加え、プロジェクター２０および投写面ＳＣを有するホワイトボード等を備え、プロジェクター２０により投写面ＳＣに投写される画像に対して、ユーザーの電子ペン１の操作により、図形や文字等を重ねて表示できるように構成されている。
【００２５】
詳細な説明は省略するが、プロジェクター２０は、入力された画像情報に応じた画像を投写面ＳＣに投写する画像投写部、および投写面ＳＣを撮像する撮像部を備える。そして、プロジェクター２０は、投写面ＳＣ上で操作された電子ペン１から発せられた赤外線を検知し、検知した情報に基づいて赤外線の発信位置の解析を行い、画像情報にこの発信位置の軌跡を示す線を重畳した重畳画像を投写面ＳＣに投写する。投写面ＳＣは、電子ペン１の先端部が押し当てられて操作される操作面となる。ここで、電子ペン１の先端部とは、ユーザーの操作によって投写面ＳＣに押圧される部位のことをいう。すなわち、電子ペン１の先端部は、投写面ＳＣに対して電子ペン１を略直角にして操作する場合はもとより、投写面ＳＣに対して電子ペン１を傾けて操作する場合に、投写面ＳＣに押圧される。
【００２６】
図２は、電子ペン１の外観を示す斜視図である。図３は、電子ペン１の断面図である。
電子ペン１は、図２に示すように、筆記具に模した形状を有している。電子ペン１は、図３に示すように、先端部を有する筆記部２、筆記部２内に収納される発光部３、および筆記部２を支持する本体部４を備え、先端部が投写面ＳＣ（操作面）に押圧される操作によって発光部３が発光する。
本体部４は、スイッチ機構４１、回路ユニット４２、電池４３、およびこれらの部材を内部に収納する外装筐体５を備える。
【００２７】
筆記部２は、後で詳細に説明するが、図３に示すように、先端部を有する弾性部材２２、および弾性部材２２の内側に配置され、弾性部材２２を保持して本体部４に着脱可能に支持される支持部材２１等を備える。筆記部２は、先端部の反対側が開口する中空部２Ａを有し、この開口部近傍の支持部材２１の内面にはネジ溝２１Ｓ（図４参照）が設けられている。
【００２８】
発光部３は、赤外線を発する発光ダイオードで構成されており、図３に示すように、筆記部２の中空部２Ａに配置され、リード端子３Ｔを介して回路ユニット４２に接続される。
【００２９】
スイッチ機構４１は、詳細な説明は省略するが、図３に示すように、筆記部２に接続される接続部材４１１、および図示しない複数の電気的接続部材等を備え、発光部３を発光させるスイッチとしての機能を有する。
接続部材４１１は、図３に示すように、円筒状の部位を有し、この円筒状の一端側の外周面には、支持部材２１のネジ溝２１Ｓ（図４参照）と螺合するネジ溝４１１Ｓが形成されている。そして、接続部材４１１は、ネジ溝４１１Ｓが外装筐体５から露出し、ネジ溝４１１Ｓの反対側が複数の電気的接続部材と共に外装筐体５内に配置される。
【００３０】
発光部３は、接続部材４１１から露出し、リード端子３Ｔが接続部材４１１の内部に挿通されて配置される。
筆記部２は、支持部材２１のネジ溝２１Ｓが接続部材４１１のネジ溝４１１Ｓに螺合されることにより、接続部材４１１に接続される。すなわち、筆記部２は、本体部４を分解することなく、容易に交換可能に構成されている。そして、発光部３および接続部材４１１は、筆記部２が押圧されると、筆記部２と共に移動する。
【００３１】
スイッチ機構４１は、筆記部２が押圧されると、接続部材４１１が筆記部２と共に移動することにより複数の電気的接続部材の接続状態が変わり、制御部は、この接続状態が変わることにより発光部３を発光させる。ここで、筆記部２および接続部材４１１の移動とは、筆記部２の中心軸Ａｘに対する傾倒や、筆記部２の中心軸Ａｘに沿う本体部４側への移動のことをいう。
【００３２】
回路ユニット４２は、ＣＰＵ（Central Processing Unit）等の素子が実装されたメイン基板、および電池４３との接続端子等を備え、ＣＰＵ等の素子は、制御部として機能する。回路ユニット４２は、筆記部２の移動に伴うスイッチ機構４１の動作に応じて発光部３を発光させる。このように、本体部４は、筆記部２への押圧を検出して発光部３を発光させる。
接続端子は、図３に示すように、電池４３のプラス端子に接続するプラス端子４２Ａ、および電池４３のマイナス端子に接続するマイナス端子（図示省略）を備え、プラス端子４２Ａおよびマイナス端子は、それぞれメイン基板に接続される。
【００３３】
電池４３は、発光部３および回路ユニット４２に電力を供給する。本実施形態の電池４３は、単３型の乾電池１本で構成されている。
【００３４】
外装筐体５は、図２、図３に示すように、外形が略円柱状に形成されており、ケース本体５１、ケース本体５１の筆記部２側に位置する枠体５２、および電池蓋５３を備える。
ケース本体５１は、筆記部２側に開口部が設けられており、スイッチ機構４１および回路ユニット４２は、この開口部からケース本体５１内に収納される。また、ケース本体５１には、円柱状の外面の一部に開口部が設けられており、電池４３は、この開口部からケース本体５１内に収納される。また、ケース本体５１には、図２に示すように、筆記部２とは反対側の端部近傍に膨出部５１１が形成され、この膨出部５１１には、ストラップ取付け用の孔（図示省略）が設けられている。膨出部５１１は、電子ペン１が机上等に載置された際に電子ペン１の転がりを防止する機能も有している。
【００３５】
枠体５２は、図３に示すように、ケース本体５１の筆記部２側の開口部を閉塞するように形成され、スイッチ機構４１の接続部材４１１が挿通される孔が設けられている。
電池蓋５３は、ケース本体５１に収納された電池４３を覆うように、ケース本体５１に着脱可能に配置される。
【００３６】
〔筆記部の構成〕
ここで、筆記部２について詳細に説明する。
図４は、筆記部２の断面図である。
筆記部２は、図４に示すように、支持部材２１および弾性部材２２に加え、滑性材２３を備える。
【００３７】
支持部材２１は、発光部３が発する赤外線を透過する合成樹脂で形成され、弾性部材２２を保持する機能および本体部４に支持される機能に加え、発光部３を保護する機能を有している。支持部材２１を形成する合成樹脂としては、例えば、ポリカーボネート（ＰＣ）、ポリアセタール（ＰＯＭ）、ＡＢＳ（Acrylonitrile Butadiene Styrene）、アクリル（ＰＭＭＡ）等を採用することが可能である。
支持部材２１は、図４に示すように、前述した中空部２Ａが設けられ、円筒状の筒状部２１ａ、および発光部３の光射出側を覆う積層部２１ｂを有している。
筒状部２１ａには、内面に前述したネジ溝２１Ｓが設けられ、ネジ溝２１Ｓの反対側となる外面の端部に、凹部２１１が形成されている。
【００３８】
弾性部材２２は、発光部３が発する赤外線を透過するエラストマーで形成され、支持部材２１の外面を覆うように形成されている。本実施形態の弾性部材２２は、シリコンゴムが用いられている。
具体的に、弾性部材２２は、支持部材２１の筒状部２１ａおよび積層部２１ｂの外面を覆うように形成され、積層部２１ｂの外面を覆う領域に先端部が設けられている。積層部２１ｂは、弾性部材２２における先端部の内側に積層されることとなる。
弾性部材２２の先端部は、外面が球面状に形成され、筒状部２１ａを覆う部位には、支持部材２１の凹部２１１に係合する突起２２１が設けられている。
【００３９】
なお、弾性部材２２の先端部の形状は、球面状に限らない。中心軸Ａｘを通る平面における断面の外形形状が、中心軸Ａｘ上を頂点とし、この頂点から遠ざかるほど中心軸Ａｘからの距離が大きくなるような曲線となる曲面状に形成されていればよい。弾性部材２２の先端部の形状として、球面状以外に、例えば、中心軸Ａｘを通る平面における断面の外形形状が放物線状や、楕円の一部の形状、あるいは放物線に模した形状や、楕円の一部の形状に模した形状となるように形成してもよい。
【００４０】
また、弾性部材２２は、発光部３が発光する筆記部２への押圧力より小さな押圧力で変形する弾性を有している。すなわち、弾性部材２２は、ユーザーが電子ペン１の先端部を投写面ＳＣに押し当てると、本体部４が筆記部２の移動を検出する前、つまり発光部３が赤外線を発する前に、変形するような弾性を有している。そして、弾性部材２２は、筆記部２が投写面ＳＣからの押圧が解除されるように操作されると、元の形状に復元する。
【００４１】
滑性材２３は、弾性部材２２の外面上、具体的には弾性部材２２の外面における少なくとも先端部に形成されている。滑性材２３は、発光部３が発する赤外線を透過し、投写面ＳＣに対する滑り性が弾性部材２２より高い材料、すなわち、弾性部材２２に比べて摩擦係数が小さい材料で、弾性部材２２の変形および復元に追従して弾性部材２２との密着が維持されるように形成されている。すなわち、滑性材２３は、弾性部材２２が有する弾性を発揮可能な状態で、弾性部材２２の外面に形成されている。
【００４２】
滑性材２３としては、例えば、スパッタリングや蒸着等を利用した製法で薄膜状に形成セラミックを採用することができる。この滑性材２３としてのセラミックは、電子ペン１が操作される際に投写面ＳＣに確実に当接し、押圧に応じて弾性部材２２が変形および復元するように、また、弾性部材２２の変形および復元に追従して弾性部材２２との密着が維持されるように形成されている。
【００４３】
筆記部２は、弾性部材２２に滑性材２３が形成され、弾性部材２２の突起２２１が凹部２１１に係合されるように支持部材２１に被されて組み立てられる。そして、筆記部２は、前述したように、支持部材２１のネジ溝２１Ｓが接続部材４１１のネジ溝４１１Ｓに螺合されて本体部４に取り付けられる。その結果、筆記部２は、中空部２Ａに発光部３が配置され、本体部４に支持される。
筆記部２は、先端部を形成する弾性部材２２がユーザーの操作に応じて変形し、投写面ＳＣからの押圧が解除されるように操作されると、元の形状に復元する。そして、電子ペン１は、筆記部２の先端部が所定以上押圧されると発光部３が発光し、発光部３から発せられた赤外線は、支持部材２１および弾性部材２２を透過して外部に射出される。
【００４４】
以上説明したように、本実施形態の電子ペン１によれば、以下の効果を得ることができる。
（１）電子ペン１は、筆記部２の先端部が弾性部材２２で構成されているので、筆記部２が投写面ＳＣに押し当てられる際に、弾性部材２２が変形することとなる。これによって、筆記部２が投写面ＳＣに当接する際の衝突音を低減することや、筆記部２が投写面ＳＣに当接した状態での書き込み操作の感触を向上させることが可能となる。
また、弾性部材２２の先端部には、滑り性が弾性部材２２より高く、弾性部材２２の変形、復元に追従する滑性材２３が設けられているので、弾性部材２２が有する弾性を発揮させつつ、電子ペン１を操作面上で滑らかに移動させることができる。
したがって、電子ペン１のユーザーに不快感となる操作面との衝突音を低減し、操作感が良好な電子ペン１の提供が可能となる。
【００４５】
（２）弾性部材２２は、ユーザーが電子ペン１を投写面ＳＣに押し当てると、発光部３が発光する前に変形するような弾性を有している。これによって、筆記部２が投写面ＳＣに押し当てられる際の、電子ペン１のユーザーに不快感となる衝突音を確実に低減することが可能となる。
【００４６】
（３）筆記部２は、弾性部材２２を保持し、本体部４に支持される支持部材２１を備えるので、弾性部材２２が確実に保持された状態で本体部４に支持される。
また、筆記部２は、支持部材２１のネジ溝２１Ｓと接続部材４１１のネジ溝４１１Ｓとの螺合により本体部４に接続される構成なので、本体部４を分解することなく、容易に筆記部２を交換することができる。
【００４７】
（４）発光部３は、中空部２Ａに配置されるので、発光部３から発せられる光の損失を抑制して効率良く筆記部２から外部に透過させることができる。よって、小型の発光部３の採用や、発光部３を発光させる電力の省電力化が可能となる。
【００４８】
（５）弾性部材２２がエラストマーで形成されているので、発光部３が発する赤外線を透過し、所望の弾性を有するように、弾性部材２２形成することが可能となる。
【００４９】
（６）滑性材２３がセラミックで形成されているので、発光部３が発する赤外線を透過し、投写面ＳＣに対する滑り性が弾性部材より高い滑性材を形成することが可能となる。
【００５０】
（７）弾性部材２２の先端部は、前述したように曲面状に形成され、滑性材２３は、弾性部材２２の少なくとも先端部に形成されている。これによって、弾性部材２２の外面全体に滑性材２３を設ける構成に比べ、容易に滑性材２３を形成できるとともに、電子ペン１を傾けても、滑性材２３を投写面ＳＣに当接させることができる。よって、筆記部２製造の簡素化を図りつつ、操作感を高めた電子ペン１の提供が可能となる。
【００５１】
（第２実施形態）
第２実施形態に係る電子ペンについて、図面を参照して説明する。以下の説明では、第１実施形態の電子ペン１と同様の構成および同様の部材には、同一符号を付し、その詳細な説明は省略または簡略化する。
本実施形態の電子ペンは、第１実施形態の筆記部２とは異なる筆記部７、および第１実施形態の電子ペン１が備えない導光部材６を備える。
【００５２】
図５は、本実施形態の電子ペンにおける筆記部７および導光部材６を説明するための断面図である。
本実施形態の電子ペンは、図５に示すように、発光部３が筆記部７から離間して本体部（本実施形態の本体部は図示省略）内に収納され、発光部３から発せられる赤外線が導光部材６によって筆記部７の中空部７Ａに導かれるように構成されている。また、発光部３は、本体部に固定して配置される。
筆記部７は、図５に示すように、先端部を有する弾性部材７２、および弾性部材７２の内側に配置され、弾性部材７２を保持して本体部に着脱可能に支持される支持部材７１を備える。そして、筆記部７は、先端部の反対側が開口する中空部７Ａを有し、弾性部材７２の先端部には、滑性材７３が形成されている。
【００５３】
支持部材７１は、第１実施形態の支持部材２１における積層部２１ｂ（図４参照）に相当する部位を有さない円筒状に形成され、支持部材２１のネジ溝２１Ｓ、凹部２１１と同様に形成されたネジ溝７１Ｓ、凹部７１１を有している。また、支持部材７１の凹部７１１以外の外面は、先端側に向かう程、外径が小さくなるように傾斜している。なお、支持部材７１は、発光部３が発する赤外線を透過する部材に限らず、赤外線を透過しない部材を採用することもできる。
【００５４】
弾性部材７２は、支持部材７１の外面を覆うように形成され、先端部側の内面と、支持部材７１の内面とで中空部７Ａが形成される。また、弾性部材７２には、支持部材７１の凹部７１１に係合する突起７２１が設けられ、支持部材７１の外面を覆う部位の外面は、先端側に向かう程、外径が小さくなるように傾斜している。
【００５５】
導光部材６は、発光部３から発せられる赤外線を弾性部材７２の先端部の内面に導く機能を有している。導光部材６は、一端が発光部３の赤外線を射出する側の近傍に配置され、他端が中空部７Ａに配置されるように延出している。そして、導光部材６は、一端から入射する赤外線を内面で多重反射して他端側から射出する。
また導光部材６は、本体部に固定され、筆記部７が押圧により移動した場合でも、筆記部７に当接しないように、筆記部７と離間するように形成されている。なお、導光部材６が筆記部７と共に移動するように構成してもよい。この構成の場合、筆記部７が移動した場合でも、導光部材６が発光部３に当接しないように、導光部材６と発光部３とは、離間して配置される。
【００５６】
そして、本実施形態の電子ペンは、投写面ＳＣ上での操作で弾性部材７２が変形し、所定以上押圧されると発光部３が発光する。そして、発光部３から発せられた赤外線は、導光部材６に導かれ、弾性部材７２および滑性材７３を透過して外部に射出される。
【００５７】
以上説明したように、本実施形態の電子ペンによれば、以下の効果を得ることができる。
（１）支持部材７１が第１実施形態における支持部材２１の積層部２１ｂに相当する部位を有さない形状なので、筆記部７の先端部の小型化が可能となる。よって、ユーザーは、操作面上における所望の位置をより的確に指し示すことが可能となる。よって、電子ペンのユーザーに不快感となる操作面との衝突音を低減させるとともに、操作性がより良好な電子ペンの提供が可能となる。
【００５８】
（２）発光部３が筆記部７から離間して配置され、導光部材６によって発光部３からの赤外線が筆記部７に導かれる構成なので、発光部３を配置できる自由度が高まる。
【００５９】
（３）支持部材７１が発光部３からの赤外線を透過しない部材を採用できるので、支持部材７１の材料選定の自由度が高まる。
【００６０】
なお、前記実施形態は、以下のように変更してもよい。
第１実施形態の弾性部材２２は、支持部材２１の外面全てを覆うように形成されているが、少なくとも先端部を有していれば、支持部材２１の外面全てを覆わないように構成してもよい。
図６は、変形例における筆記部８の断面図である。
筆記部８は、図６に示すように、支持部材８１、弾性部材８２および滑性材８３を備える。
支持部材８１は、図６に示すように、発光部３の光射出側を覆う積層部８１１、および発光部３の側方を覆う円筒状の筒状部８１２を有し、積層部８１１の外面が筒状部８１２の外面より凹むように形成されている。支持部材８１は、内面形状が第１実施形態における支持部材２１と同様に形成され、接続部材４１１のネジ溝４１１Ｓに螺合するネジ溝８１Ｓを有している。
弾性部材８２は、外面が曲面状に形成され、この外面が筒状部８１２の外面に倣うように積層部８１１の外面に取り付けられる。
滑性材８３は、弾性部材８２の外面に形成される。そして、滑性材８３が形成された弾性部材８２は、粘着剤や接着剤を介して支持部材８１に取り付けられる。
この変形例の構成によれば、弾性部材８２製造の簡素化が可能となる。
【００６１】
第１実施形態の弾性部材２２は、シリコンゴムで形成されているが、シリコンゴムに限らず、他のエラストマー、例えば、ウレタンゴム、クロロプレンゴム、エチレンプロピレンゴム等のゴム材や熱可塑性エラストマーであってもよい。
【００６２】
第１実施形態の滑性材２３は、セラミックで形成されているが、セラミックに限らず、フッ素を含有する材料、例えばポリテトラフルオロエチレン（ＰＴＦＥ）等のフッ素樹脂等であってもよく、また、この材料を塗装等により、弾性部材２２の外面に形成してもよい。
この構成によれば、容易に弾性部材２２の外面に滑性材２３を形成することが可能となる。
また、滑性材２３としてセラミック粒子等の滑り性が弾性部材２２より高い材料の粒子を用い、この粒子を結合剤を用いて弾性部材２２の外面に形成するように構成してもよい。
【００６３】
前記実施形態では、発光部３が赤外線を発する構成を示したが発光部３が赤外線とは異なる波長帯の光を発し、筆記部２，７，８がこの波長帯の光を透過し、導光部材６がこの波長帯の光を導く部材で形成されるように構成してもよい。
【００６４】
第１実施形態の電子ペン１は、発光部３が筆記部２の中空部２Ａ内に配置されるように構成されているが、発光部３を筆記部２から離間して本体部４に配置し、発光部３からの光を中空部２Ａ内に導く導光部材を備えるように構成してもよい。
また、第２実施形態の電子ペンは、発光部３が筆記部７から離間して本体部に配置され、導光部材６を備えるように構成されているが、導光部材６を備えず、発光部３が筆記部７の中空部７Ａ内に配置されるように構成してもよい。
【００６５】
第２実施形態の電子ペンは、支持部材７１と導光部材６とが別体で構成されているが、支持部材７１と導光部材６とを一体的に形成してもよい。
【００６６】
前記実施形態の筆記部２，７は、支持部材２１，７１を備えて構成されているが、支持部材を備えない筆記部を構成し、この筆記部における弾性部材が本体部（例えば、第１実施形態における接続部材４１１）に着脱可能に係合されるように形成される構成であってもよい。
【００６７】
前記実施形態の本体部４は、筆記部２（接続部材４１１）の移動によって、スイッチ機構４１の接続状態が変わることを利用して筆記部２への押圧を検出するように構成されているが、この構成に限らない。例えば、スイッチ機構４１に替えて接続部材４１１の変形を検知する圧電素子や歪ゲージ等の検出装置を備える構成とし、この検出装置の検出結果に基づいて、本体部４が筆記部２への押圧を検出するように構成してもよい。
【００６８】
前記実施形態では、投写面ＳＣの前面側から画像を投写するプロジェクター２０を備える表示システム１０に電子ペン１を用いる態様を説明したが、この態様以外の表示システムに電子ペン１を用いるように構成してもよい。例えば、投写面の背面側から画像を投写するリア型のプロジェクターを用い、この投写面を操作面として電子ペン１を用いる構成や、画像が投写される投写面に替えて、液晶ディスプレイ、ＣＲＴ（Cathode Ray Tube）、プラズマディスプレイ、有機ＥＬディスプレイ等を用い、これらの装置が備える表示面を操作面として電子ペン１を用いる構成であってもよい。
【符号の説明】
【００６９】
１…電子ペン、２，７，８…筆記部、３…発光部、２Ａ，７Ａ…中空部、４…本体部、５…外装筐体、１０…表示システム、２０…プロジェクター、２１，７１，８１…支持部材、２２，７２，８２…弾性部材、２３，８３…滑性材、４１…スイッチ機構、４２…回路ユニット。
【図１】
0006435786.tif 000002
【図２】
0006435786.tif 000003
【図３】
0006435786.tif 000004
【図４】
0006435786.tif 000005
【図５】
0006435786.tif 000006
【図６】
0006435786.tif 000007